【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
周囲温度以外の温度に曝されたとき異なる寸法変化率又は量を有する第１構成部品（５０）と第２構成部品（１００）とを互いに取付けるか又は該構成部品間の空間をシールするための構造体であって、該構造体は、前記第１構成部品（５０）と前記第２構成部品（１００）との間に固定配置された複数の支持部材（２００）を含み、前記支持部材（２００）の各々は、空洞（２０６）を形成し、かつ前記第２構成部品（１００）に設けられた対をなす第２取付け構造体（２１０）に摺動可能に係合する少なくとも第１取付け構造体（２０８）を該空洞内に受け入れて、前記第２構成部品（１００）が前記第１構成部品（５０）に対して半径方向及び軸方向のうちの少なくとも1つの方向に独立して動くように浮動することができるようになっており、該構造体は更に、前記第１構成部品（５０）と前記第２構成部品（１００）との間の空間内に在る媒体と前記第２構成部品（１００）により形成された空間（３０）内に在る別の媒体との間の連通を実質的に防止することを特徴とする構造体。
【請求項２】
前記第１取付け構造体（２０８）は、割りリング、層状リング、及び互いに取付けられた多重割りリングからなる群から選択された少なくとも第１リングを含み、前記少なくとも第１リングは、前記第２構成部品（１００）の周りで前記支持部材（２００）の前記空洞（２０６）内に配置されており、また前記対をなす第２取付け構造体（２１０）は、割りリング、層状リング、及び互いに取付けられた多重割りリングからなる群から選択された少なくとも２つの第２リングを含み、前記第２リングは、該第２リング間で前記第１リングに摺動可能に係合するように間隔を置いて配置され、前記第２リングの表面の少なくとも一部分が、前記少なくとも第１リングの表面の少なくとも一部分に常に重なっていることを特徴とする、請求項１に記載の構造体。
【請求項３】
前記第２リングは、前記第２構成部品（１００）の上で摺動可能であることを特徴とする、請求項２に記載の構造体。
【請求項４】
周囲温度以外の温度に曝されたとき異なる寸法変化率又は量を有する第１構成部品（３００）と第２構成部品（３２０）とを互いに取付けるための構造体であって、該構造体は、前記第１構成部品（３００）の表面（３０２）上に形成された複数の隆起部（３１０）と該第１構成部品（３００）の該表面と対向する前記第２構成部品（３２０）の表面内に形成された複数の対応する空洞（３３０）とを含み、前記隆起部（３１０）の各々は、前記第２構成部品（３２０）が前記第１構成部品（３００）に対して半径方向及び軸方向のうちの少なくとも１つの方向に独立して動くように浮動することができるように、前記空洞（３３０）の１つに摺動可能に係合していることを特徴とする構造体。
【請求項５】
周囲温度以外の温度に曝されたとき異なる寸法変化率又は量を有する第１構成部品（３００）と第２構成部品（３２０）とを互いに取付けるための構造体であって、該構造体は、前記第２構成部品（３２０）の表面上に形成された複数の隆起部（３１０）と該第２構成部品（３２０）の該表面と対向する前記第１構成部品の表面内に形成された複数の対応する空洞とを含み、前記隆起部（３１０）の各々は、前記第２構成部品（３２０）が前記第１構成部品（３００）に対して半径方向及び軸方向のうちの少なくとも１つの方向に独立して動くように浮動することができるように、前記空洞の１つに摺動可能に係合していることを特徴とする構造体。
【請求項６】
周囲温度以外の温度に曝されたとき異なる寸法変化率又は量を有する第１構成部品（５０）と第２構成部品（１００）とを互いに取付けるか又は該構成部品間の空間をシールするための構造体であって、該構造体は、
前記第１構成部品（５０）と前記第２構成部品（１００）との間に固定配置された複数の支持部材（２００）を含み、
前記支持部材（２００）の各々は、空洞（２０６）を形成し、かつ少なくとも第１リング（２０８）と少なくとも２つの対をなす第２リング（２１０）とを含み、前記少なくとも第１リング（２０８）及び前記少なくとも２つの第２リング（２１０）は、割りリング、層状リング、及び互いに取付けられた多重割りリングからなる群から選択され、前記第１リング（２０８）は、前記第２構成部品（１００）の周りで前記支持部材（２００）の前記空洞（２０６）内に配置され、また前記少なくとも２つの第２リング（２１０）は、該第２リング間で前記少なくとも第１リング（２０８）に摺動可能に係合するように間隔を置いて配置され、前記少なくとも２つの第２リング（２１０）の表面の少なくとも一部分が、前記少なくとも第１リング（２０８）の表面の少なくとも一部分に常に重なるようになっており、
複数の隆起部が、前記第１構成部品（５０）の表面上に形成され、また複数の対応する凹みが、前記第１構成部品（５０）の前記表面に対向する前記第２構成部品（１００）の表面内に形成され、前記隆起部の各々は前記空洞の１つに摺動可能に係合しており、
前記リング（２０８、２１０）と前記隆起部及び前記凹みの組合せとは、前記第２構成部品（１００）が前記第１構成部品（５０）に対して半径方向及び軸方向のうちの少なくとも１つの方向に独立して浮動運動することを可能にし、該構造体は更に、
前記第１構成部品（５０）と前記第２構成部品（１００）との間の空間内に在る媒体と前記第２構成部品（１００）により形成された空間内に在る別の媒体との間の連通を実質的に防止する、
ことを特徴とする構造体。
【請求項７】
周囲温度以外の温度に曝されたときに異なる寸法変化率又は量を有する第１構成部品（５０）と第２構成部品（１００）とを互いに取付け、かつ前記第１構成部品（５０）と前記第２構成部品（１００）との間の空間内に在る媒体と前記第２構成部品（１００）により形成された空間内に在る媒体との間の連通を実質的に防止するための方法であって、該方法は、（１）長手方向すなわち軸方向及び半径方向を有し、全体として異なる半径方向寸法を有し、またそれらの長手方向軸線が室温において実質的に一致するように互いに間隔を置いて配置された、第１構成部品（５０）と第２構成部品（１００）とを設ける段階と、（２）前記第２構成部品（１００）が前記第１構成部品（５０）に対して半径方向及び軸方向のうちの少なくとも1つの方向に独立して動くように浮動することができるように、前記第１構成部品（５０）を前記第２構成部品（１００）に摺動可能に取付けるために、前記第１構成部品（５０）と前記第２構成部品（１００）との間に配置され、その各々が空洞（２０６）を形成し該空洞内に第１取付け構造体（２０８）を受け入れる複数の支持部材（２００）を設ける段階と、（３）対をなす第２取付け構造体（２１０）を前記第２構成部品上に設ける段階と、（４）前記第１構成部品（５０）を前記第２構成部品（１００）に取付けるために前記第１取付け構造体（２０８）を前記対をなす第２構造体（２１０）に摺動可能に係合させる段階と、を含むことを特徴とする方法。
【請求項８】
前記第１取付け構造体（２０８）は、割りリング、層状リング、及び互いに取付けられた多重割りリングからなる群から選択された少なくとも第１リングを含み、前記第１リングは、前記第２構成部品（１００）の周りで前記支持部材（２００）の前記空洞（２０６）内に配置され、また前記対をなす第２取付け構造体（２１０）は、割りリング、層状リング、及び互いに取付けられた多重割りリングからなる群から選択された少なくとも２つの第２リングを含み、前記第２リングは、該第２リング間で前記第１リングに摺動可能に係合するように間隔を置いて配置され、前記第２リングの表面の少なくとも一部分は、前記少なくとも第１リングの表面の少なくとも一部分に常に重なっており、該方法は更に、前記第１構成部品（５０）と前記第２構成部品（１００）との間の空間内に在る媒体が前記第２構成部品（１００）により形成された空間に入るのを実質的に防止することを特徴とする、請求項７に記載の方法。
【請求項９】
第１構成部品（５０）と、前記第１構成部品（５０）により形成された空間の内部に配置された第２構成部品（１００）と、周囲温度以外の温度に曝されたとき異なる寸法変化率又は量を有する前記第１構成部品（５０）と前記第２構成部品（１００）とを互いに取付けるか又は該構成部品間の空間をシールするための構造体とを含み、該構造体は、前記第１構成部品（５０）と前記第２構成部品（１００）との間に固定配置された複数の支持部材（２００）を含み、前記支持部材（２００）の各々は、空洞（２０６）を形成し、かつ前記第２構成部品（１００）が前記第１構成部品（５０）に対して半径方向及び軸方向のうちの少なくとも1つの方向に独立して動くように浮動することができるように、前記第２構成部品（１００）に設けられた対をなす第２取付け構造体（２１０）に摺動可能に係合する少なくとも第１取付け構造体（２０８）を該空洞内に受け入れており、該構造体は更に、前記第１構成部品（５０）と前記第２構成部品（１００）との間の空間内に在る媒体と前記第２構成部品（１００）により形成された空間内に在る別の媒体との間の連通を実質的に防止することを特徴とするタービンエンジン。
【請求項１０】
第１構成部品（５０）と、前記第１構成部品（５０）により形成された空間の内部に配置された第２構成部品（１００）と、周囲温度以外の温度に曝されたとき異なる寸法変化率又は量を有する前記第１構成部品（５０）と前記第２構成部品（１００）とを互いに取付けるか又は該構成部品間の空間をシールするための構造体とを含み、前記構造体は、
前記第１構成部品（５０）と前記第２構成部品（１００）との間に固定配置された複数の支持部材（２００）を含み、
前記支持部材（２００）の各々は、空洞（２０６）を形成し、かつ少なくとも第１リング（２０８）と少なくとも２つの対をなす第２リング（２１０）とを含み、前記少なくとも第１リング（２０８）及び前記少なくとも２つの第２リング（２１０）は、割りリング、層状リング、及び互いに取付けられた多重割りリングからなる群から選択され、前記第１リング（２０８）は、前記第２構成部品（１００）の周りで前記支持部材（２００）の前記空洞内に配置され、また前記少なくとも２つの第２リング（２１０）は、該少なくとも２つの第２リング（２１０）の表面の少なくとも一部分が前記少なくとも第１リング（２０８）の表面の少なくとも一部分に常に重なるように、該少なくとも２つの第２リング間で前記少なくとも第１リング（２０８）に摺動可能に係合するように間隔を置いて配置されており、
複数の隆起部が、前記第１構成部品（５０）の表面上に形成され、また複数の対応する凹みが、前記第１構成部品（５０）の前記表面に対向する前記第２構成部品（１００）の表面内に形成され、前記隆起部の各々は前記空洞の１つに摺動可能に係合しており、
前記リングと前記隆起部及び前記凹みの組合せとは、前記第２構成部品（１００）が前記第１構成部品（５０）に対して半径方向及び軸方向のうちの少なくとも１つの方向に独立して浮動運動することを可能にし、該構造体は更に、
前記第１構成部品（５０）と前記第２構成部品（１００）との間の空間内に在る媒体と前記第２構成部品（１００）により形成された空間内に在る別の媒体との間の連通を実質的に防止する、
ことを特徴とするタービンエンジン。